(57)【特許請求の範囲】
【請求項１】
荷電粒子を人体の表面に向けて放出する荷電粒子（イオン）発生手段と、荷電粒子が人体の表面に継続して誘引／吸着されるように人体の表面の電位を保持するための電位保持手段と、人が握る絶縁物で構成されたグリップ部とを備えると共に、上記電位保持手段はグリップ部の内部に配置されてグリップ部を帯電させる電圧発生回路を備えていることを特徴とするイオン供給装置。
【請求項２】
上記荷電粒子（イオン）発生手段は、放電により荷電粒子を発生させることを特徴とする請求項１記載のイオン供給装置。
【請求項３】
上記荷電粒子（イオン）発生手段は、放電によって発生した荷電粒子を他の粒子に付着させて放出することを特徴とする請求項２記載のイオン供給装置。
【請求項４】
上記荷電粒子（イオン）発生手段は、レナード効果により荷電粒子を発生させることを特徴とする請求項１記載のイオン供給装置。
【請求項５】
上記電位保持手段は、人体の表面の電位を荷電粒子の持つ電荷と反対の電位に保持することを特徴とする請求項１記載のイオン供給装置。
【請求項６】
上記電位保持手段は、人体の表面の電位と荷電粒子の持つ電荷とが同極の場合において、人体の表面の電位を荷電粒子の電位よりも低いレベルで保持することを特徴とする請求項１記載のイオン供給装置。
【請求項７】
上記電位保持手段は、荷電粒子が人体の表面に付着する直前に人体の表面に電圧を印加することを特徴とする請求項１記載のイオン供給装置。
【請求項８】
上記荷電粒子（イオン）発生手段と上記電位保持手段とがヘアードライヤーの内部に組み込まれ、電位保持手段によりヘアードライヤーのグリップ部を帯電させると共に、ヘアードライヤーの風洞内部にイオン吹き出し口を配置してなることを特徴とする請求項１記載のイオン供給装置。
【請求項９】
上記荷電粒子（イオン）発生手段と上記電位保持手段とがヘアーブラシの内部に組み込まれ、電位保持手段によりヘアーブラシのグリップ部を帯電させると共に、ブラシの前面にイオン吹き出し口を配置してなることを特徴とする請求項１記載のイオン供給装置。
【請求項１０】
上記荷電粒子（イオン）発生手段と上記電位保持手段とがスチーム発生装置に設けられ、電位保持手段によりスチーム発生装置に設けたグリップ部を帯電させると共に、スチーム吹き出し口の近傍にイオン吹き出し口を配置してなることを特徴とする請求項１記載のイオン供給装置。
【発明の詳細な説明】
【０００１】
【発明の属する技術分野】
本発明は、荷電粒子（イオン）発生手段からの荷電粒子を対象物に放射する際に、荷電粒子を対象物に誘引／吸着するように対象物に荷電粒子を作用（付着）させるようにしたイオン供給装置に関し、詳しくは体表面（皮膚、毛髪、肌等）に荷電粒子を付着させて、美容、治療などの処理を行う技術に関するものである。
【０００２】
【従来の技術】
従来、荷電粒子（イオン）発生手段によって発生した荷電粒子（マイナス空気イオン、プラス空気イオン）を放射させる機能を持ったヘアードライヤー、ヘアーブラシなどが提供されている。これらヘアードライヤーなどでは、毛髪を乾燥させると同時に毛髪に対し空気イオンを放出することにより、毛髪がしっとり、さらさらになるという効果を高めることができる。
【０００３】
【発明が解決しようとする課題】
ところが、従来では荷電粒子を放射したい対象物（人体等）が外部と電気的に絶縁されており、対象物の電位は決まっていない。従来はこのような対象物に対して荷電粒子を放射していたため、例えば図２４に示すように、対象物３がプラスに帯電し、荷電粒子１をマイナスに帯電している粒子とした場合においては、荷電粒子発生手段２から発生した荷電粒子１が対象物３に当たると、対象物３の帯電している電荷が中和され、図２５に示すように電位Ｖ1が下がってくる。その後、対象物３の電圧がマイナスになると、荷電粒子１と同極になるため反発して付着できなくなる。また図２６に示すように、対象物３がマイナスに帯電している場合においては、図２７に示すように対象物３の電位Ｖ2が荷電粒子１と同種になるため反発し付着することができない。さらに図２８〜図３１に示すように、荷電粒子１をプラスに帯電している粒子とした場合において、対象物３の電位Ｖ3と荷電粒子１の電位とが逆の場合も同様、時間経過にともなって対象物３の電位Ｖ4（図３１）が荷電粒子１と同種になるため反発し付着することができない。この結果、従来にあっては、荷電粒子発生手段２から発生した荷電粒子１を対象物３に継続して付着させることができないという問題があった。
【０００４】
本発明は、上記の従来例の問題点に鑑みて発明したものであって、その目的とするところは、荷電粒子が対象物に当たり続けることができ、より多くの荷電粒子を対象物に誘引させ、更に継続して吸着させることができ、これにより荷電粒子を形成している物質が継続して対象物に作用（付着）することが可能なイオン供給装置を提供するにある。
【０００５】
【課題を解決するための手段】
上記課題を解決するために本発明にあっては、荷電粒子１を人体３ａの表面に向けて放出する荷電粒子（イオン）発生手段２と、荷電粒子１が人体３ａの表面に継続して誘引／吸着されるように人体３ａの表面の電位を保持するための電位保持手段４と、人が握る絶縁物で構成されたグリップ部６とを備えると共に、上記電位保持手段４はグリップ部６の内部に配置されてグリップ部６を帯電させる電圧発生回路を備えていることを特徴としており、このように構成することで、電位保持手段４によって人体３ａの表面の電位をいつまでも荷電粒子１と反対の電位に保持することができるため、荷電粒子（イオン）発生手段２からの荷電粒子１が人体３ａの表面に当たり続けることができ、より多くの荷電粒子１を人体３ａの表面に誘引させることができ、更に継続して吸着させることができ、荷電粒子１を形成している物質が継続して人体３ａの表面に作用（付着）するようになる。さらに人体３ａの感電、漏電等の危険性をなくすことができると共に、電位保持手段４を構成する電圧発生回路を、プラス電圧発生回路又はマイナス電圧発生回路とすることによって荷電粒子１の電荷と反対側の電荷をグリップ部６に容易に帯電させることができる。
【０００６】
また上記荷電粒子（イオン）発生手段２は、放電により荷電粒子１を発生させることを特徴とするのが好ましく、この場合、より多くの荷電粒子１を発生させることができる。
【０００７】
また上記荷電粒子（イオン）発生手段２は、放電によって発生した荷電粒子１を他の粒子５に付着させて放出することを特徴とするのが好ましく、この場合、空気以外の粒子の荷電粒子１を形成することが可能となる。
【０００８】
また上記荷電粒子（イオン）発生手段２は、レナード効果により荷電粒子１を発生させることを特徴とするのが好ましく、この場合、放電によって生成されるＯ3等のような人体に悪影響を与える物質の生成が起こらない。
【０００９】
また上記電位保持手段４は、人体３ａの表面の電位を荷電粒子１の持つ電荷と反対の電位に保持することを特徴とするのが好ましく、この場合、より多くの荷電粒子１を人体３ａの表面に誘引させ、更に継続して吸着させることができる。
【００１０】
また上記電位保持手段４は、人体３ａの表面の電位と荷電粒子１の持つ電荷とが同極の場合において、人体３ａの表面の電位を荷電粒子１の電位よりも低いレベルで保持することを特徴とするのが好ましく、この場合、人体３ａの表面の電位を荷電粒子１の電荷と反対に切り換えることなく、荷電粒子１を人体３ａの表面に誘引させ、更に継続して吸着させることができる。
【００１１】
また上記電位保持手段４は、荷電粒子１が人体３ａの表面に付着する直前に人体３ａの表面に電圧を印加することを特徴とするのが好ましく、この場合、荷電粒子１を人体３ａの表面に放射する時だけ、より多くの荷電粒子１を効率良く誘引でき更に継続して吸着させることができる。
【００１２】
また上記荷電粒子（イオン）発生手段２と上記電位保持手段４とがヘアードライヤー１３の内部に組み込まれ、電位保持手段４によりヘアードライヤー１３のグリップ部６を帯電させると共に、ヘアードライヤー１３の風洞内部にイオン吹き出し口１２を配置してなることを特徴とするのが好ましく、この場合、ヘアードライヤー１３の機能に、荷電粒子１を人体３ａの表面に放射するだけでなく、より多くの荷電粒子１を誘引させ、更に継続して吸着させることができる機能を付加させることができる。
【００１３】
また上記荷電粒子（イオン）発生手段２と上記電位保持手段４とがヘアーブラシ２０の内部に組み込まれ、電位保持手段４によりヘアーブラシ２０のグリップ部６を帯電させると共に、ブラシ２２の前面にイオン吹き出し口１２を配置してなることを特徴とするのが好ましく、この場合、ヘアーブラシ２０の機能に、荷電粒子１を人体３ａの表面に放射するだけでなく、より多くの荷電粒子１を誘引させ、更に継続して吸着させることができる機能を付加させることができる。
【００１４】
また上記荷電粒子（イオン）発生手段２と上記電位保持手段４とがスチーム発生装置２７に設けられ、電位保持手段４によりスチーム発生装置２７に設けたグリップ部６を帯電させると共に、スチーム吹き出し口３０の近傍にイオン吹き出し口１２を配置してなることを特徴とするのが好ましく、この場合、スチーム発生装置２７の機能に、荷電粒子１を人体３ａの表面に放射するだけでなく、より多くの荷電粒子１を誘引させ、更に継続して吸着させることができる機能を付加させることができる。
【００１７】
【発明の実施の形態】
以下、本発明を添付図面に示す実施形態に基づいて説明する。
本実施形態のイオン供給装置は、体表面（皮膚、毛髪、肌等）に荷電粒子１を付与して、美容、治療などの処理を行うためのものである。図１はイオン供給装置の一例を示しており、荷電粒子１を対象物３に向けて放出する荷電粒子（イオン）発生手段２と、荷電粒子１が対象物３に継続して誘引／吸着されるように対象物３の電位を保持するための電位保持手段４とで主体が構成されている。対象物３は、本例では人体３ａ（図６）とする。
【００１８】
先ず、荷電粒子発生手段２は、図５に示すように、荷電粒子１としての空気イオン（マイナス空気イオン、プラス空気イオン）をコロナ放電により発生させるものであり、針状放電極９と、グランド電極１０と、両電極９，１０間に交流高電圧を印加してコロナ放電により荷電粒子１を発生させるための高電圧発生装置１１とで構成されている。針状放電極９からグランド電極１０への延長線上にイオン吹き出し口１２が設けられている。ここでは、針状放電極９は、金属棒の先端を鋭利にし、針形状にして構成されている。グランド電極１０は、金属板で構成し、針状放電極９に対し斜め前方に配置されている。高電圧発生装置１１は、基準電位側をグランド電極１０に、高電圧側を針状放電極９にそれぞれ接続してあり、マイナス空気イオンを発生させる場合には例えばＤＣ−５ｋＶを出力し、プラス空気イオンを発生させる場合には例えばＤＣ＋５ｋＶを出力する。なお、荷電粒子発生手段２は、コロナ放電によってマイナス空気イオンとプラス空気イオンの一方を発生させるものに限らず、例えば、２つの高電圧発生装置を用いてプラス、マイナスの両方を選択して発生させるものであってもよい。
【００１９】
一方、対象物の電位Ｖ3（図２、図４）を保持するための電位保持手段４は、対象物３に接続されるものであり、荷電粒子１の持つ電荷がマイナスの場合はプラス電圧発生回路７ａにより構成され、荷電粒子１の持つ電荷がプラスの場合はマイナス電圧発生回路７ｂにより構成される。
【００２０】
ここで図９（ａ）は、上記荷電粒子発生手段２と電位保持手段４とが組み込まれたヘアードライヤー１３の一例を示している。図９（ａ）中の６は人が握るグリップ部、１４はモータ、１５はファン、１６はヒーターである。またイオン吹き出し口１２はヘアードライヤー１３の風洞内部に配置されている。本例では人が握るグリップ部６をグリップ形状の絶縁物８（成型品）で構成し、絶縁物８の裏面には図９（ｂ）に示すように、アルミテープなどの導電性テープ１７が貼着されている。グリップ部６の内部には電位保持手段４として、荷電粒子発生手段２からの荷電粒子１の持つ電荷がマイナスの場合はプラス電圧発生回路７ａが配置され、荷電粒子１の持つ電荷がプラスの場合はマイナス電圧発生回路７ｂが配置されている。この電圧発生回路７ａ（又は７ｂ）の出力端子は接続線を介して導電性テープ１７に接続されており、ヘアードライヤー１３の使用の際に手でグリップ部６を握ることで人体３ａ全体がプラス（或いはマイナス）に帯電できるようになっている。
【００２１】
次に、動作を説明する。図６に示すように、荷電粒子発生手段２からマイナス空気イオンを発生させる場合には、電位保持手段４としてプラス電圧発生回路を使用し、また図５に示すように、高電圧発生装置１１からグランド電極１０を基準として、例えばＤＣ−５ｋＶを針状放電極９に印加する。すると、図５に示すように針状放電極９の先端が鋭利なために電界が集中し、針状放電極９先端近傍においてコロナ放電が発生し、同時にマイナス空気イオンが発生する。このとき、ヘアードライヤー１３（図９）のグリップ部６を手で握ると、人体３ａ全体（毛髪、頭皮、肌等）がプラス電位に帯電する。これにより、図６のイで示すように、人体３ａに向かって電気力線が形成されるため、マイナス空気イオンは電気力線に沿って移動し、人体３ａ（毛髪）に誘引され吸着する。吸着した後、荷電粒子１の電荷はプラス電圧発生回路を通じて外部へ流れるため、図２に示すように人体３ａに帯電した電圧Ｖ3はそのまま保持されることになり、荷電粒子１は人体３ａに当たり続けることができるようになる。ここで、荷電粒子１は、粒子に電荷が付いた物質であり、人体３ａの表面に荷電粒子１が付着し続けると、荷電粒子１を形成している物質が人体３ａに作用（付着）するものである。
【００２２】
一方、荷電粒子発生手段２からプラス空気イオンを発生させる場合は、図８に示すように、電位保持手段４としてマイナス電圧発生回路を使用し、また図７に示すように、高電圧発生装置１１からグランド電極１０を基準として、例えばＤＣ＋５ｋＶを針状放電極９に印加する。これによりプラス空気イオンが発生すると共に、人体３ａはマイナスに帯電し、図８のロで示すように人体３ａに向かって電気力線が形成されることで、荷電粒子１は電気力線に沿って移動し、人体３ａに誘引されて吸着する。このとき図４に示すように人体３ａの帯電した電圧Ｖ3はそのまま保持されので、荷電粒子１は人体３ａに当たり続けることができる。
【００２３】
この結果、荷電粒子１を人体３ａに放射するだけでなく、より多くの荷電粒子１を誘引させ、更に継続して吸着させることができるようになる。
【００２４】
また本例では、コロナ放電によって荷電粒子１を発生させているので、より多くの、例えば１ｃｃ当たりに１００万個以上のマイナス空気イオン又はプラス空気イオンを発生させることができる。これにより、人体３ａにより多くの荷電粒子１を誘引させ、更により継続して吸着させることができる結果、毛髪の場合にはより多くのマイナス空気イオンが付着することにより、毛髪がしっとり、さらさらになる効果が得られる。ちなみに、電位保持手段を備えていない場合にあっては、毛髪がしっとり、さらさらになる効果には限界があるが、電位保持手段４を設けることで、人体３ａ（毛髪）に対して継続してマイナス空気イオンが当たり続けることとなり、毛髪がしっとり、さらさらする効果が一層増大することになる。
【００２５】
また本例の電位保持手段４は、荷電粒子１の持つ電荷がマイナスの場合はプラス電圧発生回路を用い、荷電粒子１の持つ電荷がプラスの場合はマイナス電圧発生回路を用いているので、ヘアードライヤー１３の使用の際に手でグリップ部６を握ることで、手が帯電し、それと同時に人体３ａ全体（毛髪、頭皮、肌等）をプラス電位（又はマイナス電位）に容易に帯電させることができると共に、電圧発生回路を用いることで、荷電粒子１を人体３ａに放射するだけでなく、より多くの荷電粒子１を誘引させ、更に継続して吸着させることができる機能を簡易に付加することができるものである。またプラス電圧発生回路又はマイナス電圧発生回路を用いて、対象物３の電位を荷電粒子１の持つ電荷と反対の電位に保持することにより、より多くの荷電粒子１を誘引させ、更に継続して吸着させることができる。
【００２６】
また本例では、ヘアードライヤー１３のグリップ部６（図９）をグリップ形状の絶縁物８（成型品）で構成し、グリップ部６内部の電圧発生回路に接続された導電性テープ１７を絶縁物８の裏面に貼着しているため、ヘアードライヤー１３の使用の際に手でグリップ部６を握って帯電させるときに、感電、漏電等の危険が無くなるという利点もある。
【００２７】
さらに、本例のヘアードライヤー１３では電位保持手段４を構成する電圧発生回路と荷電粒子発生手段２とが１本の電源コード５０（図９）で配線されているので、電圧発生回路に接続する配線と、荷電粒子発生手段２に接続する配線とが共通する１本の電源コード５０となり、同一電源から給電して電圧発生回路と荷電粒子発生手段２とを作動させることができる結果、配線の簡易化を容易に実現することができる。このことは後述するヘアーブラシ２０、スキンケア機器２１、吸入器２６においても同様である。
【００２８】
なお、電位保持手段４を構成する電圧発生回路の数は１つに限らず、２つの電圧発生回路（プラス電圧発生回路７ａ、マイナス電圧発生回路７ｂ）の両方を設け、２つの電圧発生回路からの出力をスイッチで切り換えて出力させることにより、荷電粒子１の持つ電荷と反対の電位をＯＮ／ＯＦＦできるようにしてもよいものである。
【００２９】
図１０（ａ）（ｂ）は、ヘアーブラシ２０の一例を示している。このヘアーブラシ２０は、ブラシ２２と本体２３とで構成され、本体２３の内部には荷電粒子発生手段２と電位保持手段４とが設けられている。荷電粒子発生手段２と電位保持手段４の構成及びグリップ部６の構成は上記実施形態と同様である。本例では、針状放電極９とグランド電極１０とが、ブラシ２２の前面に設けられたイオン吹き出し口１２に面して配置され、高電圧発生装置１１はグリップ部６の内部に配置されている。しかして、電位保持手段を設けていない場合にあっては、毛髪がしっとり、さらさらになる効果には限界があるが、電位保持手段４を設けることで人体３ａ全体（毛髪、頭皮、肌等）を荷電粒子１とは反対側の電位に保持することができる。これにより荷電粒子発生手段２から発生した空気イオン（マイナス空気イオン又はプラス空気イオン）が毛髪に継続して当たり続けることとなり、一層毛髪がしっとり、さらさらすることになる。このようにヘアーブラシ２０の機能に、荷電粒子１を対象物３に放射するだけでなく、より多くの荷電粒子１を誘引させ、更に継続して吸着させることができる機能を付加させることができる。
【００３０】
図１２（ａ）（ｂ）は、スキンケア機器２１の一例を示している。本例では、イオン吹き出し口１２を有する肌当て部２４と、グリップ部６を有する本体２５とで構成されている。肌当て部２４は、頭皮や肌などに当てるために滑らかな平坦面状に形成され、その中央にイオン吹き出し口１２が設けられている。本体２５の内部には、荷電粒子発生手段２と電位保持手段４とが収納されている。荷電粒子発生手段２と電位保持手段４の構成及びグリップ部６の構成は上記実施形態と同様である。しかして、電位保持手段４としてプラス電圧発生回路を用いた場合は、スキンケア機器２１の使用の際に手でグリップ部６を握り、肌当て部２４を頭皮に当てると、手が帯電し、それと同時に人体３ａ全体（毛髪、頭皮、肌等）がプラス電位に帯電することにより、荷電粒子発生手段２から発生したマイナス空気イオンが頭皮に継続して当たり続けることとなる。このとき、頭皮はプラスに帯電しているため、荷電粒子１を頭皮に対してより多くの荷電粒子１を誘引させ、更に継続して吸着させることができるようになる。特に荷電粒子１がマイナスの場合、頭皮により多くのマイナスイオンが付着することにより、頭皮及び頭髪が活性化され、育毛効果が増すことになる。もちろん、頭皮以外の顔とか、肌などの皮膚に当てて使用できるものである。
【００３１】
図２１（ａ）（ｂ）はスチーム発生装置２７の一例として吸入器２６を例示している。スチーム発生装置２７は、タンク２８内に水を溜めておき、ヒーター２９によって水を加熱する。加熱された水は蒸気となり、スチーム吹き出し口３０から外部に吹き出す。このスチーム（蒸気）を肌に当てると、肌の水分率が上昇し、しっとりとした潤いを与えることができる。吸入器２６内部には、荷電粒子発生手段２と対象物３の電位を保持するための電位保持手段４とが設けられている。荷電粒子発生手段２と電位保持手段４の構成は上記実施形態と同様である。本例では、吸入器２６の外部に人が握るグリップ部６としての接続部３１が配置されており、この接続部３１は接続線を介して電位保持手段４を構成する電圧発生回路に接続されている。電圧発生回路は、荷電粒子１の持つ電荷がマイナスの場合はプラス電圧発生回路７ａ、荷電粒子１の持つ電荷がプラスの場合はマイナス電圧発生回路７ｂが使用される。また、スチーム吹き出し口３０の近傍には、イオン吹き出し口１２が設けられており、スチーム吹き出し口３０からのスチームの噴射と同時に荷電粒子１を放射できるようになっている。
【００３２】
しかして、プラス電圧発生回路を用いた場合は、吸入器２６の使用の際にスチーム吹き出し口３０に肌を当てて、手で接続部３１を握ると手が帯電し、それと同時に人体３ａ全体（肌）がプラスに帯電する。プラスに帯電した場合には、イオン吹き出し口１２からマイナス空気イオンを吹き出すと、人が帯電しているためにマイナス空気イオンが肌に誘引されて吸着し、更に当たり続けることができる。このように、スチーム発生装置２７からのスチームによって水分率が向上している肌に、マイナス空気イオンが付着すると、肌の水分を保持する効果が得られ、しっとり、さらさらになる効果を持続させることができる。また口腔内にスチームを供給してもよく、この場合、特に荷電粒子１がマイナス空気イオンの場合は、喉の粘膜等により多くのマイナス空気イオンが付着することにより、粘膜の潤いを増加させる効果が得られる。つまりスチーム発生装置２７の機能に、荷電粒子１を対象物３に放射するだけでなく、より多くの荷電粒子１を誘引させ、更に継続して吸着させることができる機能を付加させることができるものである。
【００３３】
図１３、図１４は荷電粒子発生手段２の他例を示す。本例では、放電によって発生したマイナス空気イオン又はプラス空気イオン（荷電粒子１）が他の粒子５に付着した結合粒子として発生させる場合を示している。図１５は本例の荷電粒子発生手段２を内蔵したスキンケア機器２１を例示している。このスキンケア機器２１には例えば図示省略した芳香、脱臭剤を収納するタンクと、芳香、脱臭剤を気化する気化器と、気化した芳香、脱臭剤のミストを外部に噴射させる吹き出し口等が設けられている。この芳香、脱臭剤のミストの吹き出し口の近傍にイオン吹き出し口１２が設けられる。イオン吹き出し口１２には、粉体５ａの流路８０が設けられており、粉体５ａに空気イオンを放射することにより、放電によって発生させた荷電粒子１と粉体５ａとの結合粒子を発生させるようにしている。粉体５ａとして、例えば、芳香、脱臭剤が使用されるが、その種類は限定されないものであり、スキンケア機器２１の場合には化粧剤を使用してもよい。
【００３４】
しかして、コロナ放電によって発生させた荷電粒子１（図１３のマイナス空気イオン又は図１４のプラス空気イオン）を、芳香、脱臭剤の気化した粉体５ａに当てることにより、荷電粒子１が粉体５ａに付着した結合粒子を発生させることができ、このとき人体３ａに芳香、脱臭剤が吸着すると、芳香、脱臭剤の効果として、芳香、脱臭効果が得られる。また粒子５として、芳香、脱臭剤以外のものであってもよいものであり、これにより対象物３により多くの様々な粒子を誘引させ、更に継続して吸着させることが可能となる。
【００３５】
図１６〜図１８は、荷電粒子発生手段２の更に他例を示している。本例では、液体３２の静電噴霧によって荷電粒子１と他の粒子５との結合粒子を発生する場合を示している。本例では、針状放電極９を細長い金属筒９ａで構成し、金属筒９ａの一端を芳香、脱臭剤などの液体３２を溜めた容器３５内に挿入し、金属筒９ａの先端を容器３５の外部に突出させ、液体３２を毛細管現象を利用して金属筒９ａの先端に供給するようにしている。しかして、図１６に示すように、マイナスに帯電した結合粒子を発生させる場合は、高電圧発生装置１１からグランド電極１０を基準として、ＤＣ−１０ｋＶを金属筒９ａ（針状放電極）に印加する。すると、金属筒９ａの先端に電界が集中し、金属筒９ａの先端において金属筒９ａ内部の液体３２による静電噴射が起こり、マイナス空気イオン（荷電粒子１）と液体３２との結合粒子が発生する。この金属筒９ａ内部では毛細管現象により金属筒９ａの先端に向かって液体３２の粒子が供給され続ける結果、継続して結合粒子を発生させることができる。また図１７に示すように、プラスに帯電した結合粒子を発生させる場合には、高電圧発生装置１１からグランド電極１０を基準として、ＤＣ＋１０ｋＶを金属筒９ａ（針状放電極９）に印加すればよい。このように液体３２を含む結合粒子を発生させることで、対象物３により多くの様々な粒子（液体粒子等）を誘引させ、更に継続して吸着させることができるようになり、対象物３に液体粒子の効果（芳香、脱臭効果等）を与えることができる。
【００３６】
図２２、図２３は、上記高電圧発生装置１１を構成する電子回路の一例を示している。この電子回路は、対象物３を荷電粒子１の持つ電荷と反対の電位に保つための手段であり、図２２は、昇圧用のコンデンサ群Ｃ1〜Ｃ5とダイオード群Ｄ1〜Ｄ4（スイッチング素子）とから構成されたコッククロフト・ウォルトン回路を示し、直列接続されたコンデンサ上に昇圧が得られる。例えばコンデンサとダイオードを４段組み合わせることにより、商用電源から約＋５００Ｖ発生させることができる。なおマイナスの電圧を発生させる場合は図２２の出力線Ｐを点ａに接続すればよい。また、図２２のコッククロフト・ウォルトン回路に代えて、図２３に示すシェンケル回路を用いてもよい。このような電子回路を利用することで、高電圧発生装置１１を安価で実現することができる。また、電子回路によって対象物３の電位を常時一定に保つことができるので、荷電粒子１を対象物３に放射するだけでなく、常時、より多くの荷電粒子１を誘引でき更に継続して吸着させることができるようになる。
【００３７】
ところで、荷電粒子発生手段２として放電以外の方法で荷電粒子１を発生させるものであってもよい。その一例を図１９に示す。本例では、ヘアードライヤー１３に電気石３６（トルマリン）を組み込んで荷電粒子１を発生させる場合を示している。ヘアードライヤー１３の風洞内部には電気石３６の粉体が塗装されている。対象物３は毛髪とする。しかして、ヘアードライヤー１３を作動させるとヒーター１６の発熱によって風洞内部の温度が上昇する。すると、電気石３６が加熱されて、電気石３６がプラスとマイナスに分極し、周囲の空気をマイナス空気イオン化し、これによりマイナス空気イオンが発生する。これによりドライヤー吹き出し口からの温風と共に、イオン吹き出し口１２からマイナス空気イオンが放出されるようになる。このように、非放電で荷電粒子１を発生させることができるため、放電によって生成されるＯ3等のような人体３ａに悪影響を与える物質の生成が起こらない。また、電子回路が必要ないため、安価に作製することができる。
【００３８】
なお、上記非放電によるイオン供給方法は、上記ヘアードライヤー以外に、ヘアーブラシにも応用可能である。例えばヘアーブラシの材料内部に電気石の粉体を混ぜ込むようにしても非放電でマイナス空気イオンを発生させることが可能となる。つまり、ヘアーブラシを毛髪をブラッシングすると、ブリスルの変位が起こるため、電気石３６からマイナス空気イオンが発生するようになり、この場合も、非放電で荷電粒子１（マイナス空気イオン）を発生させることが可能となる。
【００３９】
また、上記電気石に代えて、ヘアードライヤーの風洞内部に放射性物質（例えば、ラジウム）の粉体を塗装により取り付けてもよい。或いはヘアーブラシの材料内部に放射性物質の粉体を混ぜ込むようにしてもよい。いずれの場合も、放射性物質（ラジウム等）は常にα線を放出しており、このα線はプラスに帯電した微粒子で、ヘリウム原子が２個の電子を失ったものである。この微粒子が気体中を通過するときに空気の粒子と衝突して空気をイオン化し、荷電粒子としてマイナス空気イオンが発生する。このようにして非放電で荷電粒子（マイナス空気イオン）を発生させることができ、コスト的にも有利となる。
【００４０】
荷電粒子発生手段２の更に他例として、レナード効果により荷電粒子１を発生させるものであってもよい。例えば水を出すシャワーを利用する。この場合、シャワーヘッド（図示せず）の内部にプラス電圧発生回路を収納しておく。シャワーヘッドから水が出て、水が例えば壁などに当たり、小さな水滴に分裂するときに、分裂した水滴は正の電気を帯び、周りの空気は負の電気を帯びる。このとき荷電粒子（マイナス空気イオン）が発生する。このように、シャワー水の近くではレナード効果によりマイナス空気イオンが多数放出されることとなる。これは滝の近くでマイナス空気イオンが多数発生することと同様な現象である。しかも、シャワーの使用の際に手でシャワーヘッドを握ることで、プラス電圧発生回路により人体全体（毛髪、頭皮、肌等）がプラス電位に帯電することにより、上記マイナス空気イオンが毛髪に継続して当たり続けることとなり、一層毛髪がしっとり、さらさらすることになる。また、非放電によってマイナス空気イオンを発生させるため、放電によって生成されるＯ3等のような人体３ａに悪影響を与える物質の生成が起こらず、また、電子回路が必要ないため、安価に作製することができるものである。
【００４１】
電位保持手段４の更に他例として、荷電粒子１が対象物３に付着する直前に対象物３に電圧を印加するようにしてもよい。その一例を図１１（ａ）（ｂ）に示す。本例では、電位保持手段４として、接触剥離帯電を利用するものであり、一例としてヘアーブラシ２０を例示している。ここでは、対象物３が剥離帯電を起こし易い物質、例えば毛髪の場合、対象物３の電位を保つ手段としてブラシ４０をナイロンなどの材料で構成してある。なおブラシ４０の数、形状、配置は図１１の例に限られるものではない。しかして、人が毛髪をブラッシングすると、ブラシ４０と毛髪とが接触するため、ブラシ４０と毛髪との間に剥離帯電が起こり、毛髪はプラスに帯電し、ブラシ４０はマイナスに帯電する。プラスに帯電した毛髪がイオン吹き出し口１２にさしかかると、マイナス空気イオンを毛髪に誘引させ、更に継続して吸着させることができるので、一層毛髪がしっとり、さらさらする効果が得られる。つまり、荷電粒子１を対象物３に放射する時だけ、より多くの荷電粒子１を誘引でき更に継続して吸着させることができるようになるため、効率よく機能するものとなる。また、接触剥離帯電を利用することにより、電子回路を必要としないため、安価に作製することができる。
【００４２】
図２０は、電位保持手段４の他例として、対象物３をアース線６０に接続した場合を示している。荷電粒子１を誘引／吸着させる対象物３をアース線６０に接続することによって、対象物３の電位は常に０Ｖとなる。例えば、対象物３が人体３ａ（図６）の場合は、手をグリップ部６に接触させるとアースされ、人体３ａ全体（毛髪、頭皮、肌等）が０Ｖとなる。対象物３が０Ｖになると、荷電粒子１は対象物３に誘引され吸着する。吸着した後、荷電粒子１の電荷はアース線６０を通じて外部に流れる。そのため対象物３の０Ｖ電位はそのまま保持されることとなり、荷電粒子１は対象物３に当たり続けることができる。このように、対象物３の帯電を逃がす手段としてアース線６０を用いるため、構造が簡易になると共に、安価に実現することができる。
【００４３】
また、電位保持手段４の更に他例として、対象物３の電位と荷電粒子１の持つ電荷とが同極の場合において、対象物３の電位を荷電粒子１の電位よりも低いレベルで保持するようにしてもよいものである。ここでは、対象物３の電位を保持する手段として、対象物３に付着した電荷を拡散する場合を説明する。対象物３（毛髪等）にマイナス空気イオンが付着すると毛髪がマイナス電荷に帯電し、マイナス空気イオンを毛髪に当てることができなくなる。特に局部的に毛髪がマイナスに帯電すると、毛髪全体がしっとり、さらさらした感じにならない。そこで、本例では抵抗値の低い物質（導電性物質）を対象物３に付着させる。例えば対象物３を毛髪とし、抵抗値の低い物質を水とした場合、毛髪全体に水を付けて濡らすようにする。これにより、水を通じてマイナスの電荷が毛髪全体に拡散するため、マイナス空気イオンを毛髪に当て続けることができる。従って、仮りに対象物３の電位が荷電粒子１の持つ電荷と同極の場合であっても、対象物３の電荷を拡散させることで、対象物３の電位を荷電粒子１よりも低い電位に保つことができるようになり、この結果、荷電粒子１を対象物３に誘引させ、更に継続して吸着させることができるものである。このことは荷電粒子１がプラスの場合も同様である。
【００４４】
なお、水を用いて対象物３の電荷を拡散させる場合を説明したが、水以外の材料を用いてもよいのは勿論のことである。また、対象物３の電位と荷電粒子１の持つ電荷とが同極の場合において、対象物３の電位を荷電粒子１の電位よりも低いレベルで保持する手段として、例えば電圧発生回路から発生する電圧レベルを低下させるようにしてもよいものであり、要は反発せずに誘引／吸着される程度まで電位レベルを下げるようにすればよいものである。
【００４５】
電位保持手段４の更に他例として、毛髪に帯電している荷電粒子１を異極の荷電粒子１で中和するようにしてもよい。本例では、プラス空気イオン発生用とマイナス空気イオン発生用の２つの高電圧発生装置とを用いると共に、これら２つの高電圧発生装置からの出力を一定時間毎に交互に切り替えるためのスイッチ回路を用いる場合を説明する。先ず、マイナス空気イオン発生用の高電圧発生装置を用いてマイナス空気イオンを一定時間だけ放出すると、毛髪にマイナス空気イオンが帯電するようになる。そこで一定時間経過後に、プラス空気イオン発生用の高電圧発生装置に切り換えてプラス空気イオンを一定時間だけ放出する。これにより、毛髪に帯電しているマイナス空気イオンがプラス空気イオンで中和されて、毛髪のマイナス空気イオンを除去できるようになる。さらに一定時間経過後にマイナス空気イオン発生用の高電圧発生装置に切り換えることで、毛髪のマイナス空気イオンは除去されているため、マイナス空気イオンをプラスに帯電している毛髪に誘引させ易くなり、更に継続して吸着させ易くなる。このように荷電粒子の極性を交互に切り換えることで、毛髪がしっとり、さらさらになる効果を増大させることができる。また対象物の帯電を、外部からの接続なしに中和させることができるので、アース線を接続できない物（ヘアードライヤーやヘアーブラシ等の機器）に対しても利用可能となる。
【００４６】
本発明のイオン供給装置の用途として、ヘアードライヤー１３、ヘアーブラシ２０、スキンケア機器２１、スチーム発生装置２７を例示したが、これらに限られるものではなく、例えば電動歯ブラシ等にも広く活用できるものである。
【００４７】
【発明の効果】
上述のように請求項１記載の発明にあっては、荷電粒子を人体の表面に向けて放出する荷電粒子（イオン）発生手段と、荷電粒子が人体の表面に継続して誘引／吸着されるように人体の表面の電位を保持するための電位保持手段と、人が握る絶縁物で構成されたグリップ部とを備えると共に、上記電位保持手段はグリップ部の内部に配置されてグリップ部を帯電させる電圧発生回路を備えているので、電位保持手段によって人体の表面の電位をいつまでも荷電粒子と反対の電位に保持することができるため、荷電粒子（イオン）発生手段からの荷電粒子が人体の表面に当たり続けることができ、より多くの荷電粒子を人体の表面に誘引させることができ、更に継続して吸着させることができるようになる。従って、荷電粒子を形成している物質が継続して人体の表面に作用（付着）することとなり、例えば人体の表面が毛髪、荷電粒子がマイナス空気イオンの場合は、毛髪がしっとり、さらさらになるという効果が得られる。さらにグリップ部を握る人の感電、漏電等の危険性をなくすことができると共に、電位保持手段はグリップ部を帯電させる電圧発生回路を備えているので、プラス電圧発生回路又はマイナス電圧発生回路によって荷電粒子の電荷と反対側の電荷をグリップ部に容易に帯電させることができる。
【００４８】
また請求項２記載の発明は、請求項１記載の効果に加えて、荷電粒子（イオン）発生手段は、放電により荷電粒子を発生させるので、より多くの荷電粒子を発生させることができ、人体の表面により多くの荷電粒子を誘引させ、更に継続して吸着させることができるようになる結果、例えば人体の表面が毛髪、荷電粒子がマイナス空気イオンの場合、毛髪により多くのマイナス空気イオンが付着することにより、毛髪がしっとり、さらさらになる効果を増大させることができる。
【００４９】
また請求項３記載の発明は、請求項２記載の効果に加えて、荷電粒子（イオン）発生手段は、放電によって発生したイオンを他の粒子に付着させて放出するので、空気以外の粒子の荷電粒子を形成することが可能となる。従って、人体の表面により多くの様々な粒子を誘引させることができ、更に継続して吸着させることができるようになり、人体の表面に他の粒子の持つ様々な効能、効果を与えることができるものである。
【００５０】
また請求項４記載の発明は、請求項１記載の効果に加えて、荷電粒子（イオン）発生手段は、レナード効果により荷電粒子を発生させるので、放電によって生成されるＯ3等のような人体に悪影響を与える物質の生成が起こらず、また、電子回路が必要でないため、安価に作製することができる。
【００５１】
また請求項５記載の発明は、請求項１記載の効果に加えて、電位保持手段は、人体の表面の電位を荷電粒子の持つ電荷と反対の電位に保持するので、荷電粒子を人体の表面に放射するだけでなく、より多くの荷電粒子を人体の表面に誘引させ、更に継続して吸着させることができるものである。
【００５２】
また請求項６記載の発明は、請求項１記載の効果に加えて、電位保持手段は、人体の表面の電位と荷電粒子の持つ電荷とが同極の場合において、人体の表面の電位を荷電粒子の電位よりも低いレベルで保持するので、人体の表面の電位が荷電粒子の持つ電荷と同極の場合であっても、人体の表面の電位を荷電粒子の電位よりも下げるだけで、人体の表面の電位を荷電粒子の電荷と反対に切り換えたりすることなく、荷電粒子を人体の表面に誘引させ、更に継続して吸着させることが可能となる。
【００５３】
また請求項７記載の発明は、請求項１記載の効果に加えて、電位保持手段は、荷電粒子が人体の表面に付着する直前に人体の表面に電圧を印加するので、荷電粒子を人体の表面に放射する時だけ、より多くの荷電粒子を誘引でき更に継続して吸着させることができるようになるため、効率よく機能するものとなる。
【００５４】
また請求項８記載の発明は、請求項１記載の効果に加えて、上記荷電粒子（イオン）発生手段と上記電位保持手段とがヘアードライヤーの内部に組み込まれ、電位保持手段によりヘアードライヤーのグリップ部を帯電させると共に、ヘアードライヤーの風洞内部にイオン吹き出し口を配置してなるので、ヘアードライヤーのグリップ部を手で握ると、人体全体（毛髪、頭皮、肌等）がプラス電位（又はマイナス電位）に帯電する。これにより、人体に向かって電気力線が形成されるため、荷電粒子は電気力線に沿って移動し、人体（毛髪）に誘引され吸着されると共に、電位保持手段によって人体に帯電した電圧はそのまま保持されるので、荷電粒子は人体（毛髪）に当たり続けることができる。従って、ヘアードライヤーの機能に、荷電粒子を人体の表面に放射するだけでなく、より多くの荷電粒子を誘引させ、更に継続して吸着させることができる機能を付加させることができる。
【００５５】
また請求項９記載の発明は、請求項１記載の効果に加えて、上記荷電粒子（イオン）発生手段と上記電位保持手段とがヘアーブラシの内部に組み込まれ、電位保持手段によりヘアーブラシのグリップ部を帯電させると共に、ブラシの前面にイオン吹き出し口を配置してなるので、ヘアーブラシのグリップ部を手で握ると、人体全体（毛髪、頭皮、肌等）がプラス電位（又はマイナス電位）に帯電する。これにより、人体に向かって電気力線が形成されるため、荷電粒子は電気力線に沿って移動し、人体（毛髪）に誘引され吸着されると共に、電位保持手段によって人体に帯電した電圧はそのまま保持されるので、荷電粒子は人体（毛髪）に当たり続けることができる。従って、ヘアーブラシの機能に、荷電粒子を人体の表面に放射するだけでなく、より多くの荷電粒子を誘引させ、更に継続して吸着させることができる機能を付加させることができる。
【００５６】
また請求項１０記載の発明は、請求項１記載の効果に加えて、上記荷電粒子（イオン）発生手段と上記電位保持手段とがスチーム発生装置に設けられ、電位保持手段によりスチーム発生装置に設けたグリップ部を帯電させると共に、スチーム吹き出し口の近傍にイオン吹き出し口を配置してなるので、手でグリップ部を握ると、人体全体（毛髪、頭皮、肌等）がプラス電位（又はマイナス電位）に帯電し、この状態でスチーム吹き出し口からのスチームを肌を当てるとイオン吹き出し口からのマイナス空気イオンを肌に継続して誘引／吸着させることができる。従って、スチーム発生装置からのスチームによって水分率が向上している肌にマイナス空気イオンが付着すると、肌等の水分を保持する効果が得られ、しっとり、さらさらになる効果を持続させることができる。またスチームを口腔内に噴射させた場合でも、喉の粘膜により多くのマイナス空気イオンが付着することにより、粘膜の潤いを増加させる効果が得られる。従って、スチーム発生装置の機能に、荷電粒子を人体の表面に放射するだけでなく、より多くの荷電粒子を誘引させ、更に継続して吸着させることができる機能を付加させることができるものである。
【図面の簡単な説明】
【図１】本発明のイオン供給装置の一実施形態を示し、荷電粒子がマイナス空気イオン、対象物がプラスの電位に保持されている場合の模式図である。
【図２】図１の対象物の電位を時間経過で表したグラフである。
【図３】同上の荷電粒子がプラス空気イオン、対象物がマイナスの電位に保持されている場合の模式図である。
【図４】図３の対象物の電位を時間経過で表したグラフである。
【図５】同上の荷電粒子発生手段からマイナス空気イオンを発生させるメカニズムを説明する模式図である。
【図６】同上のマイナス空気イオンが対象物に誘引／吸着される場合を示す模式図である。
【図７】同上の荷電粒子発生手段からプラス空気イオンを発生させるメカニズムを説明する模式図である。
【図８】同上のプラス空気イオンが対象物に誘引／吸着される場合を示す模式図である。
【図９】（ａ）は同上のイオン供給装置をヘアードライヤーに組み込んだ場合を説明する断面図、（ｂ）は（ａ）のグリップ部を構成する絶縁物と電圧発生回路との接続状態の説明図である。
【図１０】（ａ）は同上のイオン供給装置をヘアーブラシに組み込んだ場合の一例を説明する断面図、（ｂ）は正面図である。
【図１１】（ａ）は同上のイオン供給装置をヘアーブラシに組み込んだ場合の他例を説明する断面図、（ｂ）は正面図である。
【図１２】（ａ）は同上のイオン供給装置をスキンケア機器に組み込んだ場合を説明する断面図、（ｂ）は正面図である。
【図１３】同上のマイナス空気イオンに他の粒子を付着させる場合の模式図である。
【図１４】同上のプラス空気イオンに他の粒子を付着させる場合の模式図である。
【図１５】同上のスキンケア機器からマイナス空気イオンに他の粒子を付着させた荷電粒子が放出される場合を示す模式図である。
【図１６】同上の針状放電極から静電噴霧によってマイナス空気イオンと他の粒子とが結合した荷電粒子を発生させるメカニズムを説明する模式図である。
【図１７】同上の針状放電極から静電噴霧によってプラス空気イオンと他の粒子とが結合した荷電粒子を発生させるメカニズムを説明する模式図である。
【図１８】同上の針状放電極から静電噴霧によってマイナス空気イオンと他の粒子とが結合した荷電粒子を発生させる荷電粒子発生手段を説明する断面図である。
【図１９】同上のヘアードライヤーに電気石を組み込んだ場合を説明する断面図である。
【図２０】同上のヘアードライヤーのグリップ部にアース線を接続した場合を説明する断面図である。
【図２１】（ａ）は同上のイオン供給装置とスチーム発生装置とを内蔵した吸入器を説明する断面図、（ｂ）は側面図である。
【図２２】同上の高電圧発生装置を構成するコッククロフト・ウォルトン回路の説明図である。
【図２３】同上の高電圧発生装置を構成するシェンケル回路の説明図である。
【図２４】従来のイオン供給装置を示し、荷電粒子がマイナス空気イオン、対象物がプラス電位に帯電している場合の模式図である。
【図２５】図２４の対象物の電位を時間経過で表したグラフである。
【図２６】従来のマイナスの荷電粒子が対象物に反発して付着できなくなる場合を説明する模式図である。
【図２７】図２６の対象物の電位を時間経過で表したグラフである。
【図２８】従来の荷電粒子がプラス空気イオン、対象物がマイナス電位に帯電している場合の模式図である。
【図２９】図２８の対象物の電位を時間経過で表したグラフである。
【図３０】従来のプラスの荷電粒子が対象物に反発して付着できなくなる場合を説明する模式図である。
【図３１】図３０の対象物の電位を時間経過で表したグラフである。
【符号の説明】
１  荷電粒子
２  荷電粒子発生手段
３  対象物
３ａ  人体
４  電位保持手段
５  他の粒子
６  グリップ部
【図１】
0004089184.tif 000002
【図２】
0004089184.tif 000003
【図３】
0004089184.tif 000004
【図４】
0004089184.tif 000005
【図５】
0004089184.tif 000006
【図６】
0004089184.tif 000007
【図７】
0004089184.tif 000008
【図８】
0004089184.tif 000009
【図９】
0004089184.tif 000010
【図１０】
0004089184.tif 000011
【図１１】
0004089184.tif 000012
【図１２】
0004089184.tif 000013
【図１３】
0004089184.tif 000014
【図１４】
0004089184.tif 000015
【図１５】
0004089184.tif 000016
【図１６】
0004089184.tif 000017
【図１７】
0004089184.tif 000018
【図１８】
0004089184.tif 000019
【図１９】
0004089184.tif 000020
【図２０】
0004089184.tif 000021
【図２１】
0004089184.tif 000022
【図２２】
0004089184.tif 000023
【図２３】
0004089184.tif 000024
【図２４】
0004089184.tif 000025
【図２５】
0004089184.tif 000026
【図２６】
0004089184.tif 000027
【図２７】
0004089184.tif 000028
【図２８】
0004089184.tif 000029
【図２９】
0004089184.tif 000030
【図３０】
0004089184.tif 000031
【図３１】
0004089184.tif 000032